(57)【要約】【課題】  スーパーチャネルパワープリエンファシスのための方法及びシステムを提供する。【解決手段】  当該方法及びシステムは、スーパーチャネルの選択されたサブキャリアのパワーレベルを調整しても良い。パワープリエンファシスは、レーザ光源、可変光減衰器、又は波長選択スイッチ（ＷＳＳ）を用いて、送信段において実行されても良い。パワープリエンファシスは、ＲＯＡＤＭノードにおいてインラインで実行されても良い。パワープリエンファシスは、受信機出力に基づき、フィードバック制御を用いて実行されても良い。パワープリエンファシスは、光経路計算に基づき、フィードフォワード制御を用いて実行されても良い。【選択図】  図６
2016220204.tif 000002
【特許請求の範囲】
【請求項１】
スーパーチャネルのサブキャリアのパワープリエンファシスのための方法であって、前記方法は、
スーパーチャネルの送信のための光信号送信経路に関連するネットワークパラメータを決定するステップであって、前記スーパーチャネルは、複数のサブキャリア帯域を有し、前記ネットワークパラメータは、ファイバパラメータ、前記サブキャリア帯域のスペクトル割り当て、及び前記サブキャリア帯域の数、を有する、ステップと、
前記サブキャリア帯域について個々に、複数のパワープリエンファシス値を決定するステップであって、前記パワープリエンファシス値は、前記スーパーチャネルが前記光信号送信経路に渡り伝送されるとき、前記サブキャリア帯域の等化光信号対雑音比をもたらす、ステップと、
前記パワープリエンファシス値に従って、前記サブキャリア帯域のうちの少なくとも１つのパワーレベルを減衰するステップであって、少なくとも２つのサブキャリア帯域は、異なるパワープリエンファシス値を有する、ステップと、
を有する方法。
【請求項２】
前記パワーレベルを減衰するステップは、サブキャリア帯域の光送信機に関連する可変光減衰器を制御するステップを有する、請求項１に記載の方法。
【請求項３】
前記可変光減衰器は、波長選択スイッチに光信号を出力する、請求項２に記載の方法。
【請求項４】
前記パワーレベルを減衰するステップは、サブキャリア帯域の光送信機に含まれるレーザ光源を制御するステップを有する、請求項１に記載の方法。
【請求項５】
前記光送信機は、波長選択スイッチに光信号を出力する、請求項４に記載の方法。
【請求項６】
前記パワーレベルを減衰するステップは、第１のサブキャリア帯域に対応する第１のパワープリエンファシス値の指示を波長選択スイッチへ送信するステップを含む、請求項１に記載の方法。
【請求項７】
前記波長選択スイッチは、前記光信号送信経路の中のＲＯＡＤＭノードに含まれ、前記第１のサブキャリア帯域は、前記ＲＯＡＤＭノードにおいて前記スーパーチャネルにアッドされる、請求項６に記載の方法。
【請求項８】
前記ＲＯＡＤＭノードは、前記スーパーチャネルから第２のサブキャリア帯域をドロップする、請求項７に記載の方法。
【請求項９】
前記パワーレベルを減衰するステップの後に、前記スーパーチャネルについて指定される平均サブキャリアパワーレベルを得るために、前記サブキャリア帯域の各々のパワーレベルを増幅するステップであって、相対的パワーレベルは、前記パワープリエンファシス値に従って前記サブキャリア帯域の間で保存される、ステップ、
を更に有する請求項１に記載の方法。
【請求項１０】
前記スーパーチャネルの中のサブキャリア帯域のパワーレベルを監視するステップであって、前記パワーレベルの減衰は、前記の監視されるパワーレベルに基づく、ステップ、
を更に有する請求項１に記載の方法。
【請求項１１】
スーパーチャネルのサブキャリアのパワープリエンファシスの可能な光トランスポートネットワークであって、前記光トランスポートネットワークは、
非一時的コンピュータ可読記憶媒体にアクセスするよう構成されるプロセッサを含む制御プレーンシステムであって、前記記憶媒体は、プロセッサにより実行可能な命令を格納し、前記命令は、前記プロセッサにより実行されると、前記プロセッサに、
前記スーパーチャネルの送信のための光信号送信経路に関連するネットワークパラメータを決定させ、前記スーパーチャネルは、複数のサブキャリア帯域を有し、前記ネットワークパラメータは、ファイバパラメータ、前記サブキャリア帯域のスペクトル割り当て、及び前記サブキャリア帯域の数、を有し、
前記サブキャリア帯域について個々に、複数のパワープリエンファシス値を決定させ、前記パワープリエンファシス値は、前記スーパーチャネルが前記光信号送信経路に渡り伝送されるとき、前記サブキャリア帯域の等化光信号対雑音比をもたらし、
前記パワープリエンファシス値に従って、前記サブキャリア帯域のうちの少なくとも１つのパワーレベルを減衰するために、前記光トランスポートネットワークの中の少なくとも１つのノードに第１のコマンドを送信させ、少なくとも２つのサブキャリア帯域は、異なるパワープリエンファシス値を有する、
光トランスポートネットワーク。
【請求項１２】
前記第１のコマンドを送信させる命令は、サブキャリア帯域の光送信機に関連する可変光減衰器へ前記第１のコマンドを送信させる命令を有する、請求項１１に記載の光トランスポートネットワーク。
【請求項１３】
前記可変光減衰器は、波長選択スイッチに光信号を出力する、請求項１２に記載の光トランスポートネットワーク。
【請求項１４】
前記第１のコマンドを送信させる命令は、サブキャリア帯域の光送信機に含まれるレーザ光源へ前記第１のコマンドを送信させる命令を有する、請求項１１に記載の光トランスポートネットワーク。
【請求項１５】
前記光送信機は、波長選択スイッチに光信号を出力する、請求項１４に記載の光トランスポートネットワーク。
【請求項１６】
前記第１のコマンドを送信させる命令は、第１のサブキャリア帯域の第１のパワープリエンファシス値の指示を波長選択スイッチへ送信させる命令を有する、請求項１１に記載の光トランスポートネットワーク。
【請求項１７】
前記波長選択スイッチは、前記光信号送信経路の中のＲＯＡＤＭノードに含まれ、前記第１のサブキャリア帯域は、前記ＲＯＡＤＭノードにおいて前記スーパーチャネルにアッドされる、請求項１６に記載の光トランスポートネットワーク。
【請求項１８】
前記ＲＯＡＤＭノードは、前記スーパーチャネルから第２のサブキャリア帯域をドロップする、請求項１７に記載の光トランスポートネットワーク。
【請求項１９】
前記パワーレベルを減衰させる命令を実行した後に、前記スーパーチャネルについて指定される平均サブキャリアパワーレベルを得るために、前記サブキャリア帯域の各々のパワーレベルを増幅する第２のコマンドを少なくとも１つのインライン増幅器へ送信させる命令であって、相対的パワーレベルは、前記パワープリエンファシス値に従って前記サブキャリア帯域の間で保存される、命令、
を更に有する請求項１１に記載の光トランスポートネットワーク。
【請求項２０】
前記スーパーチャネルの中のサブキャリア帯域のパワーレベルを監視するパワーモニタであって、前記パワーレベルを減衰させる命令は、前記パワーモニタにより監視されるパワーレベルに基づく、パワーモニタ、
を更に有する請求項１１に記載の光トランスポートネットワーク。
【発明の詳細な説明】
【技術分野】
【０００１】
本開示は、概して、光通信ネットワークに関し、より詳細には、スーパーチャネルパワープリエンファシスのための方法及びシステムに関する。
【背景技術】
【０００２】
電気通信システム、ケーブルテレビシステム、データ通信ネットワークは、光ネットワークを用いて、遠隔地点間で大量の情報を迅速に伝達する。光ネットワークでは、情報は、光ファイバを通じて光信号の形式で伝達され得る。光ネットワークは、増幅器、分散補償器、マルチプレクサ／デマルチプレクサフィルタ、波長選択スイッチ、カプラ、等のような、ネットワーク内で種々の動作を実行する種々のネットワークノードを有しても良い。
【０００３】
光スーパーチャネルは、チャネル毎に４００Ｇｂ／ｓ及び１Ｔｂ／ｓのデータレートでの信号の送信のための新たなソリューションであり、将来のより高いデータレートも期待できる。標準的なスーパーチャネルは、単一の波長チャネルを形成するよう周波数多重化されるサブキャリアのセットを有する。次に、スーパーチャネルは、ネットワークエンドポイントに渡る単一のチャネルとして、光ネットワークを通じて伝送され得る。スーパーチャネルの中のサブキャリアは、高いスペクトル効率を達成するためにしっかりパックされる。
【発明の概要】
【０００４】
一態様では、開示の方法は、スーパーチャネルのサブキャリアのためのパワープリエンファシスを対象とする。方法は、スーパーチャネルの伝送のための光信号送信経路に関連するネットワークパラメータを決定するステップを有しても良い。スーパーチャネルは、複数のサブキャリア帯域を有しても良い。ネットワークパラメータは、ファイバパラメータ、サブキャリア帯域のスペクトル割り当て、サブキャリア帯域の数を有しても良い。方法は、サブキャリア帯域について個々に複数のパワープリエンファシス値を決定するステップを更に有しても良い。ここで、パワープリエンファシス値は、スーパーチャネルが光信号送信経路に渡り伝送されるとき、サブキャリア帯域の等化光信号対雑音比をもたらす。方法は、パワープリエンファシス値に従ってサブキャリア帯域のうちの少なくとも１つのパワーレベルを減衰するステップも有しても良い。当該方法では、少なくとも２つのサブキャリア帯域は、異なるパワープリエンファシス値を有しても良い。
【０００５】
方法の開示の実施形態のうちの任意のものにおいて、前記パワーレベルを減衰するステップは、サブキャリア帯域の光送信機に関連する可変光減衰器を制御するステップを有しても良い。当該方法では、前記可変光減衰器は、波長選択スイッチに光信号を出力しても良い。
【０００６】
方法の開示の実施形態のうちの任意のものにおいて、前記パワーレベルを減衰するステップは、サブキャリア帯域の光送信機に含まれる可変光減衰器を制御するステップを有しても良い。当該方法では、前記光送信機は、波長選択スイッチに光信号を出力しても良い。
【０００７】
方法の開示の実施形態のうちの任意のものにおいて、前記パワーレベルを減衰するステップは、第１のサブキャリア帯域に対応する第１のパワープリエンファシス値の指示を波長選択スイッチへ送信するステップを含んでも良い。当該方法では、波長選択スイッチは、光信号送信経路の中にあるＲＯＡＤＭノードに含まれても良い。当該方法では、第１のサブキャリア帯域は、前記ＲＯＡＤＭノードにおいてスーパーチャネルに追加されても良い。当該方法では、前記ＲＯＡＤＭノードは、前記スーパーチャネルから第２のサブキャリア帯域をドロップしても良い。
【０００８】
開示の実施形態のうちの任意のものにおいて、方法は、前記パワーレベルを減衰するステップの後に、スーパーチャネルのために指定される平均サブキャリアレベルを得るために、サブキャリア帯域の各々についてパワーレベルを増幅するステップを有しても良い。当該方法では、相対的パワーレベルは、パワープリエンファシス値に従う増幅の間、サブキャリア帯域間で保存されても良い。
【０００９】
開示の実施形態のうちの任意のものにおいて、方法は、スーパーチャネルの中のサブキャリア帯域のパワーレベルを監視するステップを有しても良い。当該方法では、前記パワーレベルを減衰するステップは、監視されるパワーレベルに基づいても良い。
【００１０】
別の態様では、開示の光トランスポートネットワークは、スーパーチャネルのサブキャリアのためのパワープリエンファシスのために使用可能にされる。光トランスポートネットワークは、非一時的コンピュータ可読記憶媒体にアクセスするよう構成されるプロセッサを含む制御プレーンシステムを有しても良い。光トランスポートネットワークでは、記憶媒体は、プロセッサ実行可能命令を格納する。命令は、スーパーチャネルの伝送のための光信号送信経路に関連するネットワークパラメータを決定するためにプロセッサにより実行可能であっても良い。光トランスポートネットワークでは、スーパーチャネルは、複数のサブキャリア帯域を有しても良く、ネットワークパラメータは、ファイバパラメータ、サブキャリア帯域のスペクトル割り当て、サブキャリア帯域の数を有しても良い。光トランスポートネットワークでは、命令は、サブキャリア帯域について個々に複数のパワープリエンファシス値を決定するために更に実行可能であっても良い。ここで、パワープリエンファシス値は、スーパーチャネルが光信号送信経路に渡り伝送されるとき、サブキャリア帯域の等化光信号対雑音比をもたらす。光トランスポートネットワークでは、命令は、パワープリエンファシス値に従ってサブキャリア帯域のうちの少なくとも１つのパワーレベルを減衰するよう、光トランスポートネットワークの中の少なくとも１つのノードに、第１のコマンドを送信するために実行可能であっても良い。光トランスポートネットワークでは、少なくとも２つのサブキャリア帯域は、異なるパワープリエンファシス値を有しても良い。
【００１１】
光トランスポートネットワークの開示の実施形態のうちの任意のものにおいて、前記第１のコマンドを送信させる命令は、サブキャリア帯域の光送信機に関連する可変光減衰器へ前記第１のコマンドを送信させる命令を有しても良い。光トランスポートネットワークでは、前記可変光減衰器は、波長選択スイッチに光信号を出力しても良い。
【００１２】
光トランスポートネットワークの開示の実施形態のうちの任意のものにおいて、前記第１のコマンドを送信させる命令は、サブキャリア帯域の光送信機に含まれるレーザ光源へ前記第１のコマンドを送信させる命令を有しても良い。光トランスポートネットワークでは、前記光送信機は、波長選択スイッチに光信号を出力しても良い。
【００１３】
光トランスポートネットワークの開示の実施形態のうちの任意のものにおいて、前記第１のコマンドを送信させる命令は、第１のサブキャリア帯域の第１のパワープリエンファシス値の指示を波長選択スイッチへ送信させる命令を有しても良い。光トランスポートネットワークでは、波長選択スイッチは、光信号送信経路の中にあるＲＯＡＤＭノードに含まれても良い。光トランスポートネットワークでは、第１のサブキャリア帯域は、前記ＲＯＡＤＭノードにおいてスーパーチャネルに追加されても良い。光トランスポートネットワークでは、前記ＲＯＡＤＭノードは、前記スーパーチャネルから第２のサブキャリア帯域をドロップしても良い。
【００１４】
光トランスポートネットワークの開示の実施形態のうちの任意のものにおいて、記憶媒体は、前記パワーレベルを減衰するための命令を実行した後に、スーパーチャネルのために指定された平均サブキャリアパワーレベルを得るためにサブキャリア帯域の各々のパワーレベルを増幅するよう、第２のコマンドを少なくとも１つのインライン増幅器へ送信するための命令を有しても良い。光トランスポートネットワークでは、相対的パワーレベルは、パワープリエンファシス値に従う増幅の間、サブキャリア帯域間で保存されても良い。
【００１５】
開示の実施形態のうちの任意のものにおいて、光トランスポートネットワークは、スーパーチャネルの中のサブキャリア帯域のパワーレベルを監視するためにパワーモニタを有しても良い。光トランスポートネットワークでは、パワーレベルを減衰するための命令は、前記パワーモニタにより監視されるパワーレベルに基づいても良い。
【図面の簡単な説明】
【００１６】
本発明並びにその特徴及び利点のより完全な理解のため、添付の図と共に以下の説明を参照する。
【図１】スーパーチャネルパワープリエンファシスのための光トランスポートネットワークの一実施形態の選択された要素のブロック図である。
【図２】スーパーチャネルパワースペクトルの一実施形態の選択された要素を示す。
【図３】パワープリエンファシスを伴うスーパーチャネルパワースペクトルの一実施形態の選択された要素を示す。
【図４Ａ】スーパーチャネルパワープリエンファシスのための送信段の実施形態の選択された要素のブロック図である。
【図４Ｂ】スーパーチャネルパワープリエンファシスのための送信段の実施形態の選択された要素のブロック図である。
【図４Ｃ】スーパーチャネルパワープリエンファシスのための送信段の実施形態の選択された要素のブロック図である。
【図５Ａ】スーパーチャネルパワープリエンファシスのためのＲＯＡＤＭの実施形態の選択された要素のブロック図である。
【図５Ｂ】スーパーチャネルパワープリエンファシスのためのＲＯＡＤＭの実施形態の選択された要素のブロック図である。
【図５Ｃ】スーパーチャネルパワープリエンファシスのためのＲＯＡＤＭの実施形態の選択された要素のブロック図である。
【図６】スーパーチャネルパワープリエンファシスのための方法の一実施形態の選択された要素のフローチャートである。
【図７】スーパーチャネルパワープリエンファシスのための光制御プレーンの一実施形態の選択された要素のブロック図である。
【発明を実施するための形態】
【００１７】
以下の説明では、開示の主題の議論を容易にするために例として詳細事項が説明される。しかしながら、当業者には、開示の実施形態が例示であること及び全ての可能な実施形態を網羅するものではないことが明らかである。
【００１８】
ここで用いられるように、ハイフンで結んだ形式の参照符号は、１つの要素の特定のインスタンスを表し、ハイフンを有しない形式の参照符号は、集合的又は総称的要素を表す。したがって、例えば、ウィジェット７２−１は、ウィジェットクラスのインスタンスを表し、ウィジェット７２として集合的に言及されても良く、それらのうちの任意のものがウィジェット７２として一般的に言及されても良い。
【００１９】
図に戻ると、図１は、光トランスポートネットワーク（optical  transport  network：ＯＴＮ）１０１の例示的な実施形態を示す。図示のように、光トランスポートネットワーク１０１は、光トランスポートネットワーク１０１のコンポーネントにより通信される１又は複数の光信号を運ぶために、１又は複数の光ファイバ１０６を有する。光ネットワーク１０１のネットワークノードは、ファイバ１０６により互いに結合され、送信段１２０、１又は複数の増幅器１０８、１又は複数のＲＯＡＤＭ（reconfigurable  optical  add/drop  multiplexer）１１０、及び１又は複数の受信機１１２を有しても良い。
【００２０】
光トランスポートネットワーク１０１は、端末ノードを有するポイントツーポイント型光ネットワーク、リング型光ネットワーク、メッシュ型光ネットワーク、又は任意の他の適切な光ネットワーク若しくは光ネットワークの組合せを有しても良い。光ファイバ１０６は、非常に低損失で長距離に渡り信号を伝達可能なガラスの細い紐を有しても良い。光ファイバ１０６は、標準的なＳＭＦ（Single−Mode  Fiber）、ＥＬＥＡＦ（Enhanced  Large  Effective  Area  Fiber）、又はＴＷ−ＲＳ（TrueWave（登録商標）Reduced  Slope）ファイバのような任意の適切な種類のファイバを有しても良い。
【００２１】
光トランスポートネットワーク１０１は、光ファイバ１０６を介して光信号を送信する装置を有しても良い。情報は、波長に関する情報を符号化するために１又は複数の光の波長の変調により、光トランスポートネットワーク１０１を通じて送信及び受信されても良い。光ネットワークでは、光の波長は、チャネルとも称される。各チャネルは、光トランスポートネットワーク１０１を通じて特定量の情報を伝達しても良い。
【００２２】
光トランスポートネットワーク１０１の情報伝達能力を増大するために、複数のチャネルで伝送される複数の信号は、単一の光信号に結合されても良い。これは、本願明細書では「マルチキャリア」光信号と呼ばれる。一方で、マルチキャリア光信号の含まれる個々のチャネルは、本願明細書では「サブチャネル」と呼ばれる。単一の光信号の複数のチャネルで情報を通信するプロセスは、光学的にＷＤＭ（wavelength  division  multiplexing）として言及される。ＤＷＤＭ（Dense  wavelength  division  multiplexing）は、より多数の（密度の高い）、通常４０より多い波長の１本のファイバへの多重化を表す。ＷＤＭ、ＤＷＤＭ、又は他の複数波長送信技術は、光ファイバ当たりの集約帯域幅を増大するために、光ネットワークで用いられる。ＷＤＭ又はＤＷＤＭを有しないと、光トランスポートネットワークにおける帯域幅は、１波長のビットレートに制限され得る。より大きな帯域幅により、光トランスポートネットワークは、より多くの情報を送信できる。光トランスポートネットワーク１０１は、ＷＤＭ、ＤＷＤＭ、又は何らかの他の適切なマルチキャリア多重化技術を用いて異なるチャネルを送信し、マルチキャリア信号を増幅しても良い。
【００２３】
近年、ＤＷＤＭにおける進歩は、複数の光キャリアを結合して所望の容量の合成光信号を生成することを可能にした。複数キャリア光信号のこのような一例は、１００Ｇｂ／ｓ以上の伝送レートを達成できる高スペクトル効率（spectral  efficiency：ＳＥ）の一例であるスーパーチャネルである。したがって、スーパーチャネルでは、サブキャリアは、従来のＤＷＤＭより密にパックされ少ない光スペクトルしか消費しない。スーパーチャネルの別の異なる特徴は、スーパーチャネルの中のサブキャリアが、同じ送信元から同じ宛先へ伝搬し、伝送中に伝統的なＯＡＤＭを用いて追加又は除去されないことであるが、代わりに、ＲＯＡＤＭノードに含まれるようなＷＳＳ（wavelength  selective  switch）を用いてアッド及びドロップされても良い。光ネットワークにおいて高スペクトル効率（ＳＥ）を達成する技術は、１００Ｇｂ／ｓ以上のデータレートでのＬｏｎｇ−ｈａｕｌ伝送のためにＤＰ−ＱＰＳＫ（dual−polarization  quadrature  phase−shift  keying）を用いて変調されたスーパーチャネルを含み得る。特定の実施形態では、Ｎ−ＷＤＭ（Nyquist  wavelength−division  multiplexing）がスーパーチャネルで用いられても良い。Ｎ−ＷＤＭでは、ほぼ長方形スペクトルを有する光パルスは、ボード（Baud）レートに近付く帯域幅を有する周波数ドメインで一緒にパッキングされる（図２も参照）。
【００２４】
光トランスポートネットワーク１０１は、以下に図４Ａ、４Ｂ、４Ｃを参照して詳述する送信段１２０を有する。送信段１２０は、特定の波長又はチャネルで、光ネットワーク１０１を通じて光信号を送信する１又は複数の光送信機（Ｔｘ）を有しても良い。送信機は、電気信号を光信号に変換し該光信号を送信させる任意のシステム、機器、又は装置を有しても良い。例えば、送信機は、それぞれ、レーザと、電気信号を受信し該電気信号に含まれる情報を特定の波長でレーザにより生成される光のビームに変調しネットワークを通じて信号を伝達するビームを送信するよう構成される変調器と、を有しても良い。さらに、幾つかの実施形態では、送信段１２０は、送信機から光信号を受信し及びスーパーチャネルの場合に個々のチャネル又は個々のサブキャリアに対するパワー調整を可能にし得る個々の可変光減衰器（variable  optical  attenuators：ＶＯＡ）を有しても良い。さらに、送信段１２０は、送信機に結合されるマルチプレクサを有しても良い。マルチプレクサは、送信機により個々の波長で送信される信号を単一のＷＤＭ、ＤＷＤＭ、又はスーパーチャネル信号に結合するための任意のシステム、機器又は装置であっても良い。幾つかの実施形態では、送信段１２０は、個々の波長を一緒にアッドしてスーパーチャネルを形成するために、ＲＯＡＤＭ１１０に含まれるようなＷＳＳ（wavelength  selective  switch）を有しても良い。
【００２５】
増幅器１０８は、光トランスポートネットワーク１０１の中の多チャネル信号を増幅しても良い。光増幅器１０８は、特定長のファイバ１０６の前及び後に置かれても良い。これは、「インライン増幅」と呼ばれる。増幅器１０８は、信号を増幅する任意のシステム、機器又は装置を有しても良い。例えば、増幅器１０８は、光信号を増幅する光リピータを有しても良い。この増幅は、光−電気又は電気−光変換により実行されても良い。幾つかの実施形態では、増幅器１０８は、希土類元素をドープされた光ファイバを有しても良い。信号がファイバを通過するとき、外部エネルギがポンプ信号の形式で印可され、光ファイバのドープされた部分の原子を励起し、光信号の強度を増大する。一例として、増幅器１０８は、エルビウムドープファイバ増幅器（erbium−doped  fiber  amplifier：ＥＤＦＡ）を有しても良い。しかしながら、半導体光増幅器（semiconductor  optical  amplifier：ＳＯＡ）のような他の適切な増幅器が用いられても良い。
【００２６】
ＲＯＡＤＭ１１０は、ファイバ１０６を介して光トランスポートネットワーク１０１に結合されても良い。ＲＯＡＤＭ１１０は、ファイバ１０６から光信号をアッド又はドロップする任意のシステム、機器又は装置を有しても良いアッド／ドロップモジュールを有しても良い。ＲＯＡＤＭ１１０を通過した後に、信号は、ファイバ１０６に沿って宛先へと直接進んでも良く、或いは、信号は、宛先に達する前に、１又は複数の追加ＲＯＡＤＭ１１０を通過しても良い。このように、ＲＯＡＤＭ１１０は、異なるリング及び異なる直線的スパンのような、異なる光トランスポートネットワークトポロジを一緒に接続することを可能にできる。
【００２７】
多くの既存の光ネットワークは、ＯＡＤＭの従来の実装及びデマルチプレクサ１０５の従来の実装と互換性のある、固定グリッド間隔としても知られるＩＴＵ（International  Telecommunications  Union）標準波長グリッドに従い５０ギガヘルツ（ＧＨｚ）のチャネル間隔を有し、１０ギガビット毎秒（Ｇｂｐｓ）又は４０Ｇｂｐｓ信号レートで動作する。しかしながら、データレートが１００Ｇｂｐｓを超えて増大すると、このような高データレート信号のより広いスペクトル要件は、益々チャネル間隔を増大することを要求する場合が多い。異なるレートの信号をサポートする伝統的な固定グリッドネットワークシステムでは、ネットワークシステム全体は、標準的に、最高レート信号に対応できる最も粗いチャネル間隔（１００ＧＨｚ、２００ＧＨｚ、等）で運用されなければならない。これは、低いレート信号及び低い全体的スペクトル利用に対して過度に準備されたチャネルスペクトルをもたらす場合がある。
【００２８】
したがって、特定の実施形態では、光トランスポートネットワーク１０１は、チャネル毎に特定の周波数スロットを指定可能な柔軟なグリッド光ネットワーキングと互換性のあるコンポーネントを利用しても良い。例えば、ＷＤＭ送信の各々の波長のチャネルは、少なくとも１つの周波数スロットを使用して割り当てられても良い。したがって、１つの周波数スロットは、シンボルレートの低い波長チャネルに割り当てられ、一方で、複数の周波数スロットは、シンボルレートの高い波長チャネルに割り当てられても良い。したがって、光トランスポートネットワーク１０１では、ＲＯＡＤＭ１１０は、光ドメインでアッド又はドロップされるべきデータチャネルを運ぶ、ＷＤＭ、ＤＷＤＭ、又はスーパーチャネル信号の個々の又は複数の波長をアッド又はドロップすることが可能であっても良い。特定の実施形態では、ＲＯＡＤＭ１１０は、ＷＳＳ（wavelength  selective  switch）を含み又はそれに結合されても良い。
【００２９】
光トランスポートネットワーク１０１は、ネットワーク１０１の１又は複数の宛先に、１又は複数のデマルチプレクサ１０５を有しても良い。デマルチプレクサ１０５は、単一のＷＤＭ信号をその個々のチャネルに分離することによりデマルチプレクサとして動作し得る任意のシステム、機器又は装置を有しても良い。例えば、光トランスポートネットワーク１０１が４０チャネルＤＷＤＭ信号を送信するとき、デマルチプレクサ１０５は、該信号を、つまり４０チャネルＤＷＤＭ信号を、４０個の異なるチャネルに従って４０個の別個の信号に分けても良い。理解されるように、種々の実施形態において、光トランスポートネットワーク１０１の中で、異なる数のチャネル又はサブキャリアが送信され逆多重化されても良い。
【００３０】
光トランスポートネットワーク１０１は、デマルチプレクサ１０５に結合される受信機（Ｒｘ）１１２を有しても良い。各受信機１１２は、特定の波長又はチャネルで送信される光信号を受信し、該光信号に符号化された又は変調された情報を得るために、該信号を処理しても良い。したがって、ネットワーク１０１は、ネットワークの各チャネル毎に少なくとも１つの受信機１１２を有しても良い。図示のように、受信機１１２−１は、第１のチャネル又は第１のサブキャリアに対応し、受信機１１２−ｉは、任意の中間チャネル又はサブキャリアを表す。一方で、受信機１１２−ｎは、光トランスポートネットワーク１０１がスーパーチャネルの中のｎ個のチャネル又はｎ個のサブキャリアを送信する、ｎ番目のチャネル又はｎ番目のサブキャリアに対応する。
【００３１】
光トランスポートネットワーク１０１のような光ネットワークは、光ファイバを介して光信号の中で情報を伝達するために、変調方式を更に用いても良い。このような変調方式は、ＰＳＫ（phase−shift  keying）、ＦＳＫ（frequency−shift  keying）、ＡＳＫ（amplitude−shift  keying）、及びＱＡＭ（quadrature  amplitude  modulation）を有しても良い。ＰＳＫでは、光信号により伝達される情報は、搬送波又は単にキャリアとしても知られる参照信号の位相を変調することにより変換されても良い。情報は、ＤＰＳＫ（differential  phase−shift  keying）を用いて信号自体の位相を変調することにより変換されても良い。ＱＡＭでは、光信号により運ばれる情報は、搬送波の振幅と位相の両方を変調することにより伝達されても良い。ＰＳＫは、ＱＡＭの一部であると考えられる。ここで、搬送波の振幅は、一定に維持される。
【００３２】
ＰＳＫ及びＱＡＭ信号は、コンステレーション図上で実数軸及び虚数軸を有する複素平面を用いて表現できる。情報を運ぶシンボルを表すコンステレーション図上の点は、図の原点の周りに均一な角度で間隔を空けて位置付けられる。ＰＳＫ及びＱＡＭを用いて変調されるべきシンボルの数は増大し、したがって伝達できる情報が増加し得る。信号の数は、２の倍数で与えられ得る。追加シンボルが追加されると、それらは、元のシンボルの周りに均一に配置され得る。ＰＳＫ信号は、コンステレーション図の上に円に配置される。これは、ＰＳＫ信号が全てのシンボルに対して一定のパワーを有することを意味する。ＱＡＭ信号は、ＰＳＫ信号と同じ角度構成だが、異なる振幅構成を有しても良い。ＱＡＭ信号は、複数の円の周りに配置されるシンボルを有しても良い。これは、ＱＡＭ信号が異なるシンボルに対して異なるパワーを有することを意味する。この構成は、シンボルが可能な限り離されるとき、ノイズのリスクを低減し得る。したがって、シンボル数「ｍ」が用いられ、「ｍ−ＰＳＫ」又は「ｍ−ＱＡＭ」と表す。
【００３３】
異なるシンボル数を有するＰＳＫ及びＱＡＭの例は、コンステレーション図の上で０度及び１８０度（又は０及びπラジアン）の２つの位相を用いるＢＰＳＫ（binary  PSK又は２−PSK）、又は０度、９０度、１８０度及び２７０度（又は０、π／２、π及び３π／２ラジアン）の４つの位相を用いるＱＰＳＫ（quadrature  PSK、４−PSK又は４−QAM）を含み得る。このような信号に含まれる位相は、オフセットされても良い。２−ＰＳＫ及び４−ＰＳＫ信号の各々は、コンステレーション図の上に配置され得る。特定のｍ−ＰＳＫ信号は、ＤＰ−ＱＰＳＫ（dual−polarization  QPSK）のような技術を用いて更に偏波されても良い。ここで、別個のｍ−ＰＳＫ信号は、信号を直交偏波することにより多重化される。また、ｍ−ＱＡＭ信号は、ＤＰ−１６−ＱＡＭ（dual−polarization  １６−QAM）のような技術を用いて偏波されても良い。ここで、別個のｍ−ＱＡＭ信号は、信号を直交偏波することにより多重化される。
【００３４】
本開示の範囲から逸脱することなく、光トランスポートネットワーク１０１に対し変更、追加又は省略が行われても良い。例えば、光トランスポートネットワーク１０１は、図示のものより多くの又は少ない要素を有しても良い。追加で、光トランスポートネットワーク１０１は、分散補償モジュールのような明示されない追加要素を有しても良い。また、上述のように、ポイントツーポイントネットワークとして図示されたが、光トランスポートネットワーク１０１は、リング又はメッシュ型ネットワークのような光信号を送信する任意の適切なネットワークを有しても良い。
【００３５】
動作中、光トランスポートネットワーク１０１は、スーパーチャネルを送信するために使用されても良い。スーパーチャネルの中では、複数のサブキャリア信号が、固定帯域幅に密にパックされ、４００Ｇｂ／ｓ、１Ｔｂ／ｓ、又はそれより高いような非常に高いデータレートで送信されても良い。さらに、スーパーチャネルは、例えば数百キロメートルのような非常に長い距離に及ぶ送信に良好に適し得る。標準的なスーパーチャネルは、ネットワーク全体を通じて１つのエンティティとして送信される単一チャネルを形成するために周波数多重化されたサブキャリアのセットを有しても良い。スーパーチャネルの中のサブキャリアは、高いスペクトル効率を達成するためにしっかりパックされても良い。スーパーチャネルの中の近隣のサブキャリア同士の線形クロストークを最小限に抑えるために、ナイキストフィルタリングが送信機において適用され、サブキャリア周波数帯を成形しても良い（図２も参照）。
【００３６】
スーパーチャネルの中のサブキャリアは、受信機１１２において観察される異なる程度のＢＥＲ（bit  rate  error）、したがってＯＳＮＲを示し得ることが報告されている。例えば、スーパーチャネルの中央帯域の中にあるサブキャリアは、スーパーチャネルの端の帯域にあるサブキャリアと比べて、非線形相互作用に起因するより大きなＢＥＲに苦しむことがある。このような、スーパーチャネルのサブキャリアの間のＢＥＲの変化は、光トランスポートネットワーク１０１のオペレータにとって望ましくない場合がある。光トランスポートネットワーク１０１のオペレータ（又はネットワークサービスプロバイダ）は、運用上及び経済的理由から、全ての伝送チャネルについて均一な性能を望み得る。本願明細書に更に詳述されるように、光トランスポートネットワーク１０１は、スーパーチャネルのサブキャリアの間のＯＳＮＲ変動を低減し又は除去するために、可変サブキャリアパワーレベルを実装しても良い。
【００３７】
上述のように、光スーパーチャネルは、チャネル毎に４００Ｇｂ／ｓ及び１Ｔｂ／ｓのデータレートで信号を送信する有望なソリューションを提示し得る。スーパーチャネルによる種々の送信経験は、スーパーチャネルの中の各々のサブキャリアが近隣のサブキャリアとの異なる量の線形及び非線形相互作用を経験することがあり、その結果、異なる受信ＯＳＮＲペナルティを生じることを明らかにしている。例えば、スーパーチャネルの中間帯域は、スーパーチャネルの端の帯域にあるサブキャリアと比べて、大きな非線形相互作用に苦しむことがある。このような影響を補償するために、可変サブキャリアパワーレベル調整方法は、本願明細書では「パワープリエンファシス」と呼ばれ、特定の中間サブキャリア帯域について、低い送信パワーレベルであっても良い。言い換えると、特定の中間サブキャリア帯域は、スーパーチャネルにより低いパワーレベルで送信するために、減衰されても良い。ＯＳＮＲは光ファイバ入力パワーに比例するので、パワーの減少は、個々のサブキャリアのＯＳＮＲを僅かに低減し得る。しかしながら、スーパーチャネルの中の中間サブキャリアのパワーレベルの減少は、近隣サブキャリアにおけるＯＳＮＲ劣化をもたらすサブキャリア間非線形相互作用も減少し得る。この方法では、僅かに低いＯＳＮＲが、スーパーチャネル帯域の中の特定のサブキャリアに意図的に引き起こされても良く、一方で、非線形クロストークの影響は、有意に低減され得る。このようなパワープリエンファシスは、スーパーチャネルの中の全てのサブキャリアに渡って見ると、ＯＳＮＲ劣化の全体的な低減をもたらし、さらに全てのサブキャリアについてＯＳＮＲペナルティを等価にし得る。
【００３８】
したがって、パワープリエンファシスを伴う光トランスポートネットワーク１０１の動作中、固定帯域幅スーパーチャネルの中の特定のサブキャリアの送信パワーレベル（つまり、サブキャリア周波数帯域）は、伝送中にＯＳＮＲペナルティに関与する線形及び非線形相互作用の組合せを最適化するために、送信段１２０において調整され得る。その結果、サブキャリア間で、ＯＳＮＲとＯＳＮＲ一様性の両方において全体的な向上がもたらされる。調整が、通常、サブキャリアの１又は複数の対に対するパワーレベルの減衰であるパワープリエンファシスの後、サブキャリア帯域の各々のパワーレベルは、スーパーチャネルについて指定された平均サブキャリアパワーレベルを得るために、例えば増幅器１０８により増幅されても良い。したがって、相対的パワーレベルは、パワープリエンファシス値に従ってサブキャリア帯域の間で保たれる。さらに、１又は複数のサブキャリアはＲＯＡＤＭ１１０においてアッド又はドロップされるので、パワープリエンファシスは、任意のドロップされたサブキャリアに予め適用された指定されたパワープリエンファシス値に合致するように（サブキャリアの置換の場合）、又は新しいサブキャリアがアッドされるとき結果として生じるスーパーチャネルのために指定されるパワープリエンファシスに合致するように、１又は複数のアッドされたサブキャリアの各々に対して実行されても良い。
【００３９】
図２を参照すると、スーパーチャネルの一実施形態の選択された要素が、５個のサブキャリアを示すスーパーチャネルパワースペクトル２００として示される。スーパーチャネルパワースペクトル２００のために使用されるデータは実際に測定された値ではないが、図示のパワースペクトルは、実際のスーパーチャネルの特徴であり得る。スーパーチャネルパワースペクトル２００では、サブキャリアは、それぞれ、２００Ｇｂ／ｓ  ＤＰ−１６−ＱＡＭ信号で変調されても良い。さらに、各々のサブキャリア帯域は、０．１５のロールオフ（roll−off）係数を用いるルートレイズドコサイン方法を用いて、送信機において電気的ナイキストパルス成形を施されている。図２に示すように、ＢＳＣは、固定スーパーチャネル伝送帯域を表し、Δｆは、サブキャリア周波数間隔を表す。特定の実施形態では、サブキャリア周波数間隔Δｆは、３５ＧＨｚであり、それぞれサブキャリア帯域に対応する各々の中心周波数ｆ１、ｆ２、ｆ３、ｆ４、ｆ５の間で均一であっても良い。サブキャリア周波数間隔Δｆは、隣接サブキャリア間の有意な線形クロストークを防ぐために十分広くなるよう選択されても良い。各々のサブキャリアの光信号は、光カプラを用いて多重化され、例えば１Ｔｂ／ｓの集約データレートを有する固定伝送帯域ＢＳＣの中の単一のスーパーチャネルを形成しても良い。留意すべきことに、固定スーパーチャネル伝送帯域ＢＳＣ、サブキャリア周波数間隔Δｆ、及び全体集約データレートの異なる値は、スーパーチャネルパワースペクトル２００をもたらし得る。図２には、一定パワーレベルＰＳＣも示される。ＰＳＣは、５個のサブキャリア帯域の各々と実質的に類似の又は等しいスーパーチャネルのパワーレベルである。したがって、ＰＳＣは、サブキャリア帯域の各々の平均パワーレベルに対応し得る。
【００４０】
標準的なＤＷＤＭネットワークでは、システム性能は、各々の波長チャネルの波長グリッドへの割り当てに依存し得ることが知られている。したがって、長い波長チャネルは、短い波長チャネルに比べて、少ない非線形機能障害にしか遭わない。スーパーチャネルに基づくＷＤＭシステムの例では、伝送帯域ＢＳＣに渡るサブキャリアエラーレートの波長依存性に加えて、個々のサブキャリアエラーレート（又は受信機におけるＯＳＮＲ）のスーパーチャネルの中のサブキャリアのスペクトル割り当てへの依存性が、（クロストークのような）非線形機能障害の形で観察されている。線形クロストークは、２つの隣接サブキャリア帯域の間（サブキャリア間）で観察され、隣接サブキャリア帯域の周波数ドメインにおける重なり合いの程度又は範囲に依存し得る。ナイキストパルス成形の使用は、図２に示すように、少なくとも部分的には、周波数ドメインにおいて互いに実質的に重なり合わないナイキスト成形サブキャリア帯域（スペクトルパルス）のほぼ垂直なエッジにより、隣接サブキャリア間の線形クロストークの最小レベルを維持する効果的な手段を提示し得る。非線形クロストークも、観察され、光ファイバ伝送中に非線形相互作用から生じ得る。非線形相互作用は、特に、ＸＰＭ（cross−phase  modulation）、ＳＰＭ（self−phase  modulation）、及び４波混合、のような現象を含み得る。ＸＰＭは、１つのチャネルからの位相情報、振幅情報、又はそれら両者がスーパーチャネルの中の隣接チャネルに変調されるとき、生じ得る。ＳＰＭは、屈折率（又は屈折率の強度に対する依存性）の変動が各々のサブキャリアの中の位相シフトを生じるとき、生じ得る。４波混合では、３つの波長が相互作用して、サブキャリアの波長と一致する第４の波長を生成し、影響を受けるサブキャリアにおいてピークパワーの望ましくない変動又は他の種類の信号歪みを生じ得る。さらに、非線形クロストークは、サブキャリア間成分を有し得る。非線形相互作用はファイバ伝送中に生じ、サブキャリア周波数帯域の重なり合いの程度に依存しないので、ナイキストパルス成形は、スーパーチャネルにおける非線形クロストークに伴う問題を解決するには非効果的であり得る。本願明細書に更に詳述されるように、単一のスーパーチャネルについて、シミュレートされる周波数スペクトル２００の中に示されるサブキャリア帯域のうちの少なくとも幾つかは、ＰＳＣと比べて低いパワーレベルで調整されて、個々のサブキャリア帯域の間のＯＳＮＲの変動を低減しても良い。
【００４１】
図３を参照すると、スーパーチャネルの一実施形態の選択された要素が、５個のサブキャリア３０２を示すスーパーチャネルパワースペクトル３００として示される。図３に示すように、サブキャリア３０２は、説明の明確化のために、簡略化した形式で示されるが、依然として、スーパーチャネルパワースペクトル２００（図２を参照）に示されるサブキャリア帯域に対応し得る。スーパーチャネルパワースペクトル３００において、サブキャリア帯域３０２−１及び３０２−５は、スーパーチャネルサブキャリア帯域の中のそれらの端の位置を参照して、「エッジ帯域」又は「エッジサブキャリア」又は「エッジサブキャリア帯域」として指定され、スーパーチャネルの全体の固定帯域を定め得る。図３に示す５個のサブキャリア帯域（奇数個のサブキャリア帯域）を有する構成では、サブキャリア帯域３０２−３は、中央サブキャリア帯域を指定される。したがって、サブキャリア帯域３０２−３の周波数ｆ３は、周波数ｆ１及びｆ５の平均値により与えられる。残りのサブキャリア帯域３０２−２及び３０２−４は、「中間帯域」又は「中間サブキャリア」又は「中間サブキャリア帯域」として命名される。本願明細書に記載の方法によると、パワープリエンファシスは、エッジサブキャリア帯域３０２−１、３０２−５、及び中間サブキャリア帯域３０２−２、３０２−４に適用されても良い。中心サブキャリア帯域３０２−３は、奇数個のサブキャリアを有するスーパーチャネルの中に存在するとき、パワーレベル調整を省略されても良い。
【００４２】
具体的には、第１のパワーレベル調整は、エッジ帯域３０２−１、３０２−５に対して実行されて、結果として、調整エッジ帯域３０３−１、３０３−５を生じても良い。これは、中央帯域３０２−３（又はスーパーチャネルの中心周波数）に関して対称的に調整され得る。また、第２のパワーレベル調整は、中間帯域３０２−２、３０２−４に対して実行されて、結果として、調整中間帯域３０３−２、３０３−４を生じても良い。これも、スーパーチャネルの中で対称的に調整され得る。パワーレベル調整の結果として、全ての５個のサブキャリア帯域がスーパーチャネルで伝送されるとき、サブキャリア帯域ｆ２、ｆ３、ｆ４に対する非線形サブキャリア間機能障害は有意に低減され、一方で、特定のＯＳＮＲ劣化がサブキャリア帯域ｆ１、ｆ２、ｆ４、ｆ５に与えられる。ＯＳＮＲ劣化の増大の量は、この方法で達成される非線形クロストークの低減の比べて非常に小さくなり得る。さらに、パワーレベル調整の結果として、自己位相変調（self−phase  modulation：ＳＰＭ）のような、サブキャリアｆ１、ｆ２、ｆ４、ｆ５に対する他の非線形サブキャリア内機能障害により引き起こされるＯＳＮＲペナルティも、低減され得る。したがって、スーパーチャネルの全てのサブキャリアの中のＯＳＮＲペナルティの全体的変動は、低減され得る。
【００４３】
パワープリエンファシスは、以下に更に詳述するように、種々の方法により達成され得る。一実施形態では、ＶＯＡ（variable  optical  attenuator）が、例えば送信段１２０（図４Ａも参照のこと）においてサブキャリア帯域をスーパーチャネルに結合する又は多重化する直前に、各々の影響を受けるサブキャリアのパワープリエンファシスのために使用される。一実施形態では、各々の影響を受けるサブキャリアのレーザ光源の出力パワーは、パワープリエンファシスのために変調される。レーザ出力パワーが所要の精度の範囲内で制御できると仮定すると、サブキャリア帯域の対称対に対応するレーザ光源のグループ制御が実施されても良い。種々の実施家位置兄おいて、光パワー等化機能を有するＷＳＳ（wavelength  selective  switches）は、送信段１２０において又はＲＯＡＤＭノード１１０（図１を参照）の中のような送信経路に沿って、サブキャリアのパワーレベルを選択的に減衰するために使用されても良い。サブキャリア毎の所望のパワー調整は、チャネル間隔、チャネル数、及び特定のファイバパラメータ（分散パラメータ、非線形係数、及び実効ファイバ長）のような種々のパラメータ及び情報を用いて予め計算されても良い。このようなパラメータ及び光ネットワークに関する他の情報は、図７を参照して更に後述するように、データベースに格納され、経路計算エンジン（Path  Computation  Engine：ＰＣＥ）７０２により抽出されても良い。次に、サブキャリア毎の所望のパワーレベルを実施するために、個々の光装置に命令が送信されても良い。パワープリエンファシスを設定する命令を受信する光装置は、したがって、光ネットワークの中のレーザ光源、ＶＯＡ、及びＷＳＳを有しても良い。
【００４４】
図２及び３に示すスーパーチャネルの例示的なスペクトルは５個のサブキャリア帯域と共に示されるが、本願明細書に記載の方法は異なる数のサブキャリア帯域を有するスーパーチャネルに対して実施できることに留意する。例えば、スーパーチャネルが４、６、８、１０個等の偶数個のサブキャリアを有するとき、中央サブキャリア帯域が存在しないので、中間帯域は、２つのエッジサブキャリア帯域を除く全てのサブキャリア帯域を有しても良い。中央帯域（存在するとき）は、種々のスーパーチャネル構成においてパワープリエンファシスから除外されても良い。４個のサブキャリア帯域を有するスーパーチャネルを伴うような幾つかの実施形態では、中間帯域は、パワープリエンファシスを受けなくても良い。また、任意的に中間サブキャリア帯域及びエッジサブキャリア帯域を含む多数のサブキャリア帯域の数が４以上であるとき、パワープリエンファシスの大きさは、スーパーチャネルの中のサブキャリア帯域の位置に依存しても良い。上述のように、例えば、パワープリエンファシスが実行されるとき、エッジ帯域３０３−１、３０３−５の第１のパワーレベルは、中間帯域３０３−２、３０３−４の第２の調整パワーレベルと異なっても良い。
【００４５】
図３には、パワープリエンファシスの間に適用される異なるパワーレベル３０４が示される。具体的には、パワーレベル３０４−１は、図２に示すような未調整パワーレベルＰＳＣに対応しても良い。パワーレベル３０４−３は、パワープリエンファシスが適用された後に、エッジ帯域ｆ１及びｆ５の減少したパワーレベルに対応しても良い。一方、パワーレベル３０４−２は、パワープリエンファシスが適用された後に、中間帯域ｆ２及びｆ４の減少したパワーレベルに対応しても良い。スーパーチャネルパワースペクトル３００において明らかなように、パワープリエンファシスの後、サブキャリア毎の平均パワーは、望ましくない又はスーパーチャネルの指定値に従わない場合のある、ＰＳＣより低くなる。したがって、送信段１２０の後のインライン増幅器１０８−１を用いる又はＲＯＡＤＭノード１１０（図１を参照）の後のインライン増幅器１０８ー２を用いるパワープリエンファシスの後に、サブキャリア帯域の各々のパワーレベルは、パワーレベルＰＳＣのようなスーパーチャネルのために指定された平均サブキャリアパワーレベルを得るために、増幅されても良い。インライン増幅器１０８による増幅は全てのサブキャリアのパワーレベルを上昇させるので、相対的パワーレベルは、パワープリエンファシス値に従ってサブキャリア帯域間で保存される。
【００４６】
図４Ａを参照すると、送信段１２０−１の一実施形態の選択された要素が更に詳細に示される。図４Ａに示すように、送信段１２０−１は、サブキャリア（又はチャネル）の各々について、集合的に送信機４０８を表すレーザ４０２及び変調器４０４を有する。また、サブキャリアの各々について、ＶＯＡ４０６は、全てのＶＯＡ４９６からの出力を結合するマルチプレクサ４１２の前に含まれる。図示のように、レーザ４０２−１、変調器４０４−１、及びＶＯＡ４０６−１は、第１のチャネル又は第１のサブキャリアに対応する。レーザ４０２−ｉ、変調器４０４−ｉ、及びＶＯＡ４０６−ｉは、任意の中間チャネル又はサブキャリアに対応する。レーザ４０２−ｎ、変調器４０４−ｎ、及びＶＯＡ４０６−ｎは、ｎ番目のサブキャリアに対応する。ここで、光トランスポートネットワーク１０１は、ｎ個のサブキャリアを１つのスーパーチャネルで送信する。
【００４７】
また、送信段１２０−１には、パワーモニタ４１０も含まれる。パワーモニタ４１０は、マルチプレクサ４１２による結合の後に、スーパーチャネルから個々に各々のサブキャリアの光パワーレベルを監視する機能を有しても良い。パワー監視の一例では、各々のサブキャリアは、サブキャリア光周波数よりも遙かに低い変調周波数を有する所与のトーンにより変調されても良い。このパワー監視変調は、周波数変調（ＦＭ）又は振幅変調（ＡＭ）であっても良い。次に、パワーモニタ４１０は、スーパーチャネルを受信し、個々のサブキャリアを検出するために変調されたトーンを使用しても良い。例えば、パワーモニタ４１０は、スーパーチャネルの中の各々のサブキャリアを検出するために、スーパーチャネルをスペクトル的に走査するために及び変調数端数において周波数識別を実行するために、調整可能な帯域通過フィルタを有しても良い。可調帯域通過フィルタからの出力は、フォトダイオードのような光子検出器により受信されても良い。光子検出器出力信号をデジタル化した後に、変調周波数は、デジタル領域で検出されて、各々の個々のサブキャリアの受信パワーを示すスペクトル形状、並びに各々の個々のサブキャリアの中心周波数をもたらしても良い。パワーモニタ４１０は、パワープリエンファシスのフィードバック制御又はパワープリエンファシスのフィードフォワード制御を実施するために、光制御プレーンシステム７００（図７を参照）と通信しても良い。フィードバック制御では、ビットレート誤り（bit  rate  error：ＢＥＲ）又は品質因子Ｑは、受信機１１２において監視され、特定のネットワークパラメータを考慮して所望のパワープリエンファシス値を調整するために使用されても良い。フィードフォワード制御では、経路計算エンジン７０２は、ネットワークパラメータに基づき、所望のパワープリエンファシス値を計算しても良い。したがって、パワーモニタ４１０は、監視されるパワーレベルに基づき、所望のパワープリエンファシス設定点を独立に調整できる。幾つかの実施形態では、パワーモニタ４１０は、光制御プレーンシステム７００からパワープリエンファシス設定点を受信しても良い。図４Ａに示すように、パワーモニタ４１０は、適切な場合には、減衰により各々のサブキャリアパワープリエンファシス値を設定するために、電気信号の形式で、ＶＯＡ４０６に制御を提供する。
【００４８】
図４Ｂを参照すると、送信段１２０−２の一実施形態の選択された要素が更に詳細に示される。図４Ｂに示すように、送信段１２０−２は、サブキャリア（又はチャネル）の各々について、集合的に送信機４０８を表すレーザ４０２及び変調器４０４を有する。これは、ｎ個のサブキャリアについて図４Ａに送信段１２０−１で示されたものと実質的に同様である。また、送信段１２０−２には、パワーモニタ４１０も含まれる。パワーモニタ４１０は、マルチプレクサ４１２による結合の後に、スーパーチャネルから個々に各々のサブキャリアの光パワーレベルを監視する機能を有しても良い。パワーモニタ４１０は、パワープリエンファシスのフィードバック制御又はパワープリエンファシスのフィードフォワード制御を実施するために、光制御プレーンシステム７００（図７を参照）と通信しても良い。幾つかの実施形態では、パワーモニタ４１０は、光制御プレーンシステム７００からパワープリエンファシス設定点を受信しても良い。図４Ｂに示すように、パワーモニタ４１０は、適切な場合には、レーザ出力パワーの減少により各々のサブキャリアパワープリエンファシス値を設定するために、電気信号の形式で、レーザ４０２に制御を提供する。
【００４９】
図４Ｃを参照すると、送信段１２０−３の一実施形態の選択された要素が更に詳細に示される。図４Ｂに示すように、送信段１２０−３は、サブキャリア（又はチャネル）の各々について、集合的に送信機４０８を表すレーザ４０２及び変調器４０４を有する。これは、ｎ個のサブキャリアについて図４Ａに送信段１２０−１で示されたものと実質的に同様である。また、送信段１２０−３には、パワーモニタ４１０も含まれる。パワーモニタ４１０は、ＷＳＳ４１４による結合の後に、スーパーチャネルから個々に各々のサブキャリアの光パワーレベルを監視する機能を有しても良い。パワーモニタ４１０は、パワープリエンファシスのフィードバック制御又はパワープリエンファシスのフィードフォワード制御を実施するために、光制御プレーンシステム７００（図７を参照）と通信しても良い。幾つかの実施形態では、パワーモニタ４１０は、光制御プレーンシステム７００からパワープリエンファシス設定点を受信しても良い。図４Ｃに示すように、パワーモニタ４１０は、適切な場合には、減衰により各々のサブキャリアパワープリエンファシス値を設定するために、電気信号の形式で、ＷＳＳ４１４に制御を提供する。
【００５０】
図５Ａを参照すると、ＲＯＡＤＭノード１１０−１の一実施形態の選択された要素が更に詳細に示される。図５Ａに示すように、ＲＯＡＤＭノード１１０−１は、到着するスーパーチャネルからドロップされるサブキャリアを除去するドロップタップ５１２を有する。ドロップタップ５１２は、０乃至ｎ個のサブキャリアを除去する。ここで、スーパーチャネルはｎ個のサブキャリアを伝送する。ＲＯＡＤＭノード１１０−１は、アッドされるサブキャリアを出力されるスーパーチャネルに結合するＷＳＳ５１４も有する。ＷＳＳ５１４は、０乃至任意の数のサブキャリアをスーパーチャネルにアッドしても良い。このように、ＲＯＡＤＭノード１１０は、前述のように、種々のトポロジ、並びに光ネットワーク及び光ネットワークセグメントの相互接続を可能にできる。ＲＯＡＤＭノード１１０−１には、送信機５０８も含まれる。送信機５０８は、図４Ａ〜Ｃに示す、アッドされたサブキャリアを送信する送信機４０８と実質的に同様であっても良い。送信機５０８は単一のユニットとして示されるが、任意の数のサブキャリアがＷＳＳ５１４によりアッドされても良く、各々のアッドされるサブキャリアは送信機５０８の個々のインスタンスを有しても良いことが理解される。ＲＯＡＤＭノード１１０−１には、パワーモニタ５１０も含まれる。パワーモニタ５１０は、図４Ａ〜Ｃに記載のパワーモニタ４１０と実質的に同様の機能を表しても良い。図５Ａに示すように、パワーモニタ５１０は、適切な場合には、減衰により各々のアッドされるサブキャリアのパワープリエンファシス値を設定するために、電気信号の形式で、ＷＳＳ５１４に制御を提供する。
【００５１】
図５Ｂを参照すると、ＲＯＡＤＭノード１１０−２の一実施形態の選択された要素が更に詳細に示される。図５Ｂに示すように、ＲＯＡＤＭノード１１０−２は、到着するスーパーチャネルからドロップされるサブキャリアを除去するドロップタップ５１２を有する。ドロップタップ５１２は、０乃至ｎ個のサブキャリアを除去する。ここで、スーパーチャネルはｎ個のサブキャリアを伝送する。ＲＯＡＤＭノード１１０−２は、アッドされるサブキャリアを出力されるスーパーチャネルに結合するＷＳＳ５１４も有する。ＷＳＳ５１４は、０乃至任意の数のサブキャリアをスーパーチャネルにアッドしても良い。このように、ＲＯＡＤＭノード１１０−２は、前述のように、種々のトポロジ、並びに光ネットワーク及び光ネットワークセグメントの相互接続を可能にできる。ＲＯＡＤＭノード１１０−２には、送信機５０８も含まれる。送信機５０８は、図４Ａ〜Ｃに示す、アッドされたサブキャリアを送信する送信機４０８と実質的に同様であっても良い。具体的には、送信機５０８は、前述のように、レーザ５０２及び変調器５０４を含み示される。ＲＯＡＤＭノード１１０−２には、ＶＯＡ５０６も含まれる。ＶＯＡ５０６は、図４ＡのＶＯＡ４０６と実質的に同様である。送信機５０８及びＶＯＡ５０６は単一のユニットとして示されるが、任意の数のサブキャリアがＷＳＳ５１４によりアッドされても良く、各々のアッドされるサブキャリアは送信機５０８及びＶＯＡ５０６の個々のインスタンスを有しても良いことが理解される。ＲＯＡＤＭノード１１０−２には、パワーモニタ５１０も含まれる。パワーモニタ５１０は、図４Ａ〜Ｃに記載のパワーモニタ４１０と実質的に同様の機能を表しても良い。図５Ｂに示すように、パワーモニタ５１０は、適切な場合には、減衰により各々のアッドされるサブキャリアのパワープリエンファシス値を設定するために、電気信号の形式で、ＶＯＡ５０６に制御を提供する。
【００５２】
図５Ｃを参照すると、ＲＯＡＤＭノード１１０−３の一実施形態の選択された要素が更に詳細に示される。図５Ｃに示すように、ＲＯＡＤＭノード１１０−３は、到着するスーパーチャネルからドロップされるサブキャリアを除去するドロップタップ５１２を有する。ドロップタップ５１２は、０乃至ｎ個のサブキャリアを除去する。ここで、スーパーチャネルはｎ個のサブキャリアを伝送する。ＲＯＡＤＭノード１１０−３は、アッドされるサブキャリアを出力されるスーパーチャネルに結合するＷＳＳ５１４も有する。ＷＳＳ５１４は、０乃至任意の数のサブキャリアをスーパーチャネルにアッドしても良い。このように、ＲＯＡＤＭノード１１０−３は、前述のように、種々のトポロジ、並びに光ネットワーク及び光ネットワークセグメントの相互接続を可能にできる。ＲＯＡＤＭノード１１０−３には、送信機５０８も含まれる。送信機５０８は、図４Ａ〜Ｃに示す、アッドされたサブキャリアを送信する送信機４０８と実質的に同様であっても良い。具体的には、送信機５０８は、前述のように、レーザ５０２及び変調器５０４を含み示される。送信機５０８は単一のユニットとして示されるが、任意の数のサブキャリアがＷＳＳ５１４によりアッドされても良く、各々のアッドされるサブキャリアは送信機５０８の個々のインスタンスを有しても良いことが理解される。ＲＯＡＤＭノード１１０−３には、パワーモニタ５１０も含まれる。パワーモニタ５１０は、図４Ａ〜Ｃに記載のパワーモニタ４１０と実質的に同様の機能を表しても良い。図５Ｃに示すように、パワーモニタ５１０は、適切な場合には、レーザ出力パワーの減少により各々のアッドされるサブキャリアのパワープリエンファシス値を設定するために、電気信号の形式で、レーザ５０２に制御を提供する。
【００５３】
図６を参照すると、スーパーチャネルパワープリエンファシスのための方法が、フローチャートの形式で示される。図示のように、方法６００は、光制御プレーンシステム７００（図７を参照）と連携して、光トランスポートネットワーク１０１（図１を参照）を用いて実行されても良い。留意すべきことに、方法６００に関して記載される工程は、異なる実施形態では省略されても良く或いは再配置されても良い。
【００５４】
方法６００は、スーパーチャネルの伝送のための光信号送信経路に関連するネットワークパラメータを決定するステップ（工程６０２）により開始しても良い。スーパーチャネルは、複数のサブキャリア帯域を有する。ネットワークパラメータは、ファイバパラメータ、サブキャリア帯域のスペクトル割り当て、及びサブキャリア帯域の数、を有する。工程６０２で、ネットワークパラメータは、光トランスポートネットワーク１０１の中に図示するノードと通信し得る光制御プレーンシステム７００により決定されても良い。次に、複数のパワープリエンファシス値が、サブキャリア帯域について個々に決定されても良い（工程６０４）。ここで、パワープリエンファシス値は、スーパーチャネルが光信号送信経路に渡り伝送されるとき、サブキャリア帯域の等化光信号対雑音比をもたらす。サブキャリア帯域のうちの少なくとも１つのパワーレベルは、少なくとも２つのサブキャリア帯域が異なるパワープリエンファシス値を有するように、パワープリエンファシス値に従って減衰されても良い（工程６０６）。最後に、相対的パワーレベルがパワープリエンファシス値に従ってサブキャリア帯域の間で保存されるように、サブキャリア帯域の各々のパワーレベルは、スーパーチャネルについて指定される平均サブキャリアパワーレベルを得るために、増幅されても良い（工程６０８）。
【００５５】
図７を参照すると、例えば光トランスポートネットワーク１０１（図１を参照）におけるような光ネットワークにおける制御プレーン機能を実装する制御システム７００の一実施形態の選択された要素のブロック図が示される。制御プレーンは、ネットワーク知能及び制御のための機能を有しても良く、更に詳細に記載するように発見、ルーティング、経路計算、及びシグナリングのためのアプリケーション又はモジュールを含むネットワークサービスを確立する能力をサポートするアプリケーションを有しても良い。制御システム７００により実行される制御プレーンアプリケーションは、光ネットワークの中でサービスを自動的に確立するために一緒に動作しても良い。発見モジュール７１２は、近隣同士を接続するローカルリンクを発見しても良い。ルーティングモジュール７１０は、データベース７０４を移植する（populate）間に、光ネットワークノードへローカルリンク情報をブロードキャストしても良い。光ネットワークからのサービスに対する要求が受信されると、経路計算エンジン７０２は、データベース７０４を用いてネットワーク経路を計算するために呼び出されても良い。このネットワーク経路は、次に、要求されたサービスを確立するために、シグナリングモジュール７０６に提供されても良い。
【００５６】
図７に示すように、制御システム７００は、プロセッサ７０８と、記憶媒体７２０とを有する。記憶媒体７２０は、記憶媒体７２０へのアクセスを有するプロセッサ７０８により実行可能な実行可能命令（つまり、実行可能コード）を格納しても良い。プロセッサ７０８は、制御システム７００に本願明細書に記載の機能及び動作を実行させる命令を実行しても良い。本開示の目的のために、記憶媒体７２０は、少なくともある時間期間の間、データ及び命令を格納する非一時的コンピュータ可読媒体を含み得る。記憶媒体７２０は、永続的及び揮発性媒体、固定及び取り外し可能媒体、磁気及び半導体媒体を含み得る。記憶媒体７２０は、直接アクセス記憶装置（例えば、ハードディスクドライブ又はフロッピーディスク）、順次アクセス記憶装置（例えば、テープディスクドライブ）、ＣＤ（compact  disk）、ＲＡＭ（random  access  memory）、ＲＯＭ（read−only  memory）、ＣＤ−ＲＯＭ、ＤＶＤ（digital  versatile  disc）、ＥＥＰＲＯＭ（electrically  erasable  programmable  read−only  memory）、及びフラッシュメモリのような記憶媒体、非一時的媒体、又はこれらの種々の組合せを有してもよいが、これらに限定されない。記憶媒体７２０は、命令、データ、又はそれらの両方を格納するよう動作する。図示のような記憶媒体７２０は、実行可能コンピュータプログラム、つまり経路計算エンジン７０２、シグナリングモジュール７０６、発見モジュール７１２、及びルーティングモジュール７１０を表し得る命令のセット又はシーケンスを有する。
【００５７】
図７の制御システム７００には、ネットワークインタフェース７１４も含まれる。ネットワークインタフェース７１４は、プロセッサ７０８とネットワーク７３０との間のインタフェースとして機能するよう動作する適切なシステム、機器又は装置であっても良い。ネットワークインタフェース７１４は、制御システム７００が適切な送信プロトコル又は規格を用いてネットワーク７３０を介して通信することを可能にしても良い。幾つかの実施形態では、ネットワークインタフェース７１４は、ネットワーク７３０を介してネットワーク記憶リソースに通信可能に結合されても良い。幾つかの実施形態では、ネットワーク７３０は、光トランスポートネットワーク１０１の少なくとも特定の部分を表す。ネットワーク７３０は、ガルバニック又は電子媒体を用いるネットワークの特定部分を有しても良い。特定の実施形態では、ネットワーク７３０は、インターネットのような公共ネットワークの少なくとも特定部分を有しても良い。ネットワーク７３０は、ハードウェア、ソフトウェア、又はそれらの種々の組合せを用いて実装されても良い。
【００５８】
特定の実施形態では、制御システム７００は、人（ユーザ）とインタフェースし、光信号送信経路に関するデータを受信しても良い。例えば、制御システム７００は、ユーザからの光信号送信経路に関するデータの受信を実現するために及びユーザに結果を出力するために、１又は複数の入力装置及び出力装置を有し又はそれらに結合されても良い。１又は複数の入力又は出力装置（図示しない）は、キーボード、マウス、タッチパッド、マイクロフォン、ディスプレイ、タッチスクリーンディスプレイ、オーディオスピーカ、等を有しても良いが、これらに限定されない。代替又は追加で、制御システム７００は、例えばネットワーク７３０を介して、別のコンピューティング装置又はネットワーク要素のような装置から光信号送信経路に関するデータを受信しても良い。
【００５９】
図７に示すように、幾つかの実施形態では、発見モジュール７１２は、光ネットワークにおける光信号送信経路に関するデータを受信しても良く、近隣及び近隣同士の間のリンクの発見を担っても良い。言い換えると、発見モジュール７１２は、発見プロトコルに従って発見メッセージを送信しても良く、光信号送信経路に関するデータを受信しても良い。幾つかの実施形態では、発見モジュール７１２は、特に、ファイバ種類、ファイバ長、コンポーネントの数及び種類、データレート、データの変調フォーマット、光信号の入力パワー、信号搬送波長（つまり、チャネル）の数、チャネル間隔、トラフィック要求、及びネットワークトポロジ、のような特徴を決定しても良いが、これらに限定されない。
【００６０】
図７に示すように、ルーティングモジュール７１０は、光トランスポートネットワーク１０１のような光ネットワークの中の種々のノードにリンク接続性情報を伝搬することを担っても良い。特定の実施形態では、ルーティングモジュール７１０は、リンク帯域幅可用性を含み得る、トラフィックエンジニアリングをサポートするためのリソース情報をデータベース７０４に移植しても良い。したがって、データベース７０４は、ルーティングモジュール７１０により、光ネットワークのネットワークトポロジを決定するのに有用な情報を移植されても良い。
【００６１】
経路計算エンジン７０２は、光信号送信経路の送信特性を決定するために、ルーティングモジュール７１０によりデータベース７０４に提供される情報を用いても良い。光信号送信経路の送信特性は、特に、色分散（chromatic  dispersion：ＣＤ）、非線形（nonlinear：ＮＬ）効果、偏光モード分散（polarization  mode  dispersion：ＰＭＤ）及び偏光依存損失（polarization  dependent  loss：ＰＤＬ）のような偏光効果、並びに自然放出雑音（amplified  spontaneous  emission：ＡＳＥ）のような送信劣化因子が、光信号送信経路内で光信号にどれ位影響を与え得るかについての見識を提供しても良い。光信号送信経路の送信特性を決定するために、経路計算エンジン７０２は、送信劣化因子の間の相互作用を検討しても良い。種々の実施形態では、経路計算エンジン７０２は、特定の送信劣化因子の値を生成しても良い。経路計算エンジン７０２は、光信号送信経路を記述するデータをデータベース７０４に更に格納しても良い。
【００６２】
幾つかの実施形態では、経路計算エンジン７０２は、光信号送信経路の各々の送信劣化因子の累積量を提供しても良い。代替又は追加で、経路計算エンジン７０２は、各々の送信劣化因子に起因するＯＳＮＲペナルティを提供しても良い。代替又は追加で、経路計算エンジン７０２は、１又は複数の送信劣化因子の組合せに起因するＯＳＮＲペナルティを提供しても良い。代替又は追加で、経路計算エンジン７０２は、光信号送信経路の合計ＯＳＮＲを提供しても良い。合計ＯＳＮＲは、いかなる劣化も有しない光信号送信経路に沿って達成され得る最適なＯＳＮＲであっても良い。代替又は追加で、経路計算エンジン７０２は、例えばＯＳＮＲ劣化が非線形サブキャリア内相互作用に起因するとき、光信号送信経路に沿うＯＳＮＲ劣化を決定しても良い。幾つかの実施形態では、経路計算エンジン７０２は、光信号送信経路に関する追加情報を提供しても良い。
【００６３】
図７で、シグナリングモジュール７０６は、光トランスポートネットワーク１０１のような光ネットワークにかえるエンド−エンドサービスを設定、変更、及び取り壊しに関連する機能を提供しても良い。例えば、光ネットワーク内のイングレスノードがサービス要求を受信すると、制御システム１００は、シグナリングモジュール７０６を用いて、帯域幅、コスト、等のような異なる基準に従って最適化され得る経路計算エンジン７０２からのネットワーク経路を要求しても良い。所望のネットワーク経路が識別されると、次に、シグナリングモジュール７０６は、要求されたネットワークサービスを確立するために、ネットワーク経路に沿って個々のノードと通信しても良い。異なる実施形態では、シグナリングモジュール７０６は、ネットワーク経路に沿ってノードへ及びノードから後続の通信を伝搬するために、シグナリングプロトコルを用いても良い。
【００６４】
制御システム７００の動作中、例えば、本願明細書に記載のようにパワープリエンファシスがフィードバック制御と共に実行されるとき、発見モジュール７１２は、各々のサブキャリアについて、受信機１１２からパワーレベルを受信しても良い。本願明細書に記載のようにパワープリエンファシスがフィードフォワード又はフィードバック制御を用いて実行されるとき、発見モジュール７１２は、スーパーチャネルの中で送信される各々のサブキャリアについてパワーモニタ４１０、５１０からパワーレベルを受信しても良い。
【００６５】
データベース７０４は、経路計算エンジン７０２により生成される、光信号送信経路に関するデータを格納しても良い。プロセッサ７０８は、制御システム７００に本願明細書に記載のスーパーチャネルサブキャリアのパワープリエンファシスのための機能及び工程を実行させるコンピュータ命令を実行しても良い。コンピュータ命令は、プロセッサ７０８による実行のためにメモリ７１０にロードされ得る。一方、本願明細書に記載した機能及び工程の実行中に生成され、受信され又は操作されたデータは、少なくとも一時的にメモリ７１０に格納され得る。
【００６６】
本願明細書に記載のように、スーパーチャネルパワープリエンファシスのための方法及びシステムは、スーパーチャネルの選択されたサブキャリアのパワーレベルを調整しても良い。パワープリエンファシスは、レーザ光源、可変光減衰器、又は波長選択スイッチ（ＷＳＳ）を用いて、送信段において実行されても良い。パワープリエンファシスは、ＲＯＡＤＭノードにおいてインラインで実行されても良い。パワープリエンファシスは、受信機出力に基づき、フィードバック制御を用いて実行されても良い。パワープリエンファシスは、光経路計算に基づき、フィードフォワード制御を用いて実行されても良い。
【００６７】
本願明細書の主題は１又は複数の例示的な実施形態に関連して記載されたが、これは、いずれの請求項も前述の特定の形式に限定されるものではない。反対に、本開示を対象とするいずれの請求項も、このような代替、変更、及び等価物を、本開示の精神及び範囲の中に含まれるものとして包含するものとする。
【００６８】
以上の実施形態に加えて、更に以下の付記を開示する。
（付記１）  スーパーチャネルのサブキャリアのパワープリエンファシスのための方法であって、前記方法は、
スーパーチャネルの送信のための光信号送信経路に関連するネットワークパラメータを決定するステップであって、前記スーパーチャネルは、複数のサブキャリア帯域を有し、前記ネットワークパラメータは、ファイバパラメータ、前記サブキャリア帯域のスペクトル割り当て、及び前記サブキャリア帯域の数、を有する、ステップと、
前記サブキャリア帯域について個々に、複数のパワープリエンファシス値を決定するステップであって、前記パワープリエンファシス値は、前記スーパーチャネルが前記光信号送信経路に渡り伝送されるとき、前記サブキャリア帯域の等化光信号対雑音比をもたらす、ステップと、
前記パワープリエンファシス値に従って、前記サブキャリア帯域のうちの少なくとも１つのパワーレベルを減衰するステップであって、少なくとも２つのサブキャリア帯域は、異なるパワープリエンファシス値を有する、ステップと、
を有する方法。
（付記２）  前記パワーレベルを減衰するステップは、サブキャリア帯域の光送信機に関連する可変光減衰器を制御するステップを有する、付記１に記載の方法。
（付記３）  前記可変光減衰器は、波長選択スイッチに光信号を出力する、付記２に記載の方法。
（付記４）  前記パワーレベルを減衰するステップは、サブキャリア帯域の光送信機に含まれるレーザ光源を制御するステップを有する、付記１に記載の方法。
（付記５）  前記光送信機は、波長選択スイッチに光信号を出力する、付記４に記載の方法。
（付記６）  前記パワーレベルを減衰するステップは、第１のサブキャリア帯域に対応する第１のパワープリエンファシス値の指示を波長選択スイッチへ送信するステップを含む、付記１に記載の方法。
（付記７）  前記波長選択スイッチは、前記光信号送信経路の中のＲＯＡＤＭノードに含まれ、前記第１のサブキャリア帯域は、前記ＲＯＡＤＭノードにおいて前記スーパーチャネルにアッドされる、付記６に記載の方法。
（付記８）  前記ＲＯＡＤＭノードは、前記スーパーチャネルから第２のサブキャリア帯域をドロップする、付記７に記載の方法。
（付記９）  前記パワーレベルを減衰するステップの後に、前記スーパーチャネルについて指定される平均サブキャリアパワーレベルを得るために、前記サブキャリア帯域の各々のパワーレベルを増幅するステップであって、相対的パワーレベルは、前記パワープリエンファシス値に従って前記サブキャリア帯域の間で保存される、ステップ、
を更に有する付記１に記載の方法。
（付記１０）  前記スーパーチャネルの中のサブキャリア帯域のパワーレベルを監視するステップであって、前記パワーレベルの減衰は、前記の監視されるパワーレベルに基づく、ステップ、
を更に有する付記１に記載の方法。
（付記１１）  スーパーチャネルのサブキャリアのパワープリエンファシスの可能な光トランスポートネットワークであって、前記光トランスポートネットワークは、
非一時的コンピュータ可読記憶媒体にアクセスするよう構成されるプロセッサを含む制御プレーンシステムであって、前記記憶媒体は、プロセッサにより実行可能な命令を格納し、前記命令は、前記プロセッサにより実行されると、前記プロセッサに、
前記スーパーチャネルの送信のための光信号送信経路に関連するネットワークパラメータを決定させ、前記スーパーチャネルは、複数のサブキャリア帯域を有し、前記ネットワークパラメータは、ファイバパラメータ、前記サブキャリア帯域のスペクトル割り当て、及び前記サブキャリア帯域の数、を有し、
前記サブキャリア帯域について個々に、複数のパワープリエンファシス値を決定させ、前記パワープリエンファシス値は、前記スーパーチャネルが前記光信号送信経路に渡り伝送されるとき、前記サブキャリア帯域の等化光信号対雑音比をもたらし、
前記パワープリエンファシス値に従って、前記サブキャリア帯域のうちの少なくとも１つのパワーレベルを減衰するために、前記光トランスポートネットワークの中の少なくとも１つのノードに第１のコマンドを送信させ、少なくとも２つのサブキャリア帯域は、異なるパワープリエンファシス値を有する、
光トランスポートネットワーク。
（付記１２）  前記第１のコマンドを送信させる命令は、サブキャリア帯域の光送信機に関連する可変光減衰器へ前記第１のコマンドを送信させる命令を有する、付記１１に記載の光トランスポートネットワーク。
（付記１３）  前記可変光減衰器は、波長選択スイッチに光信号を出力する、付記１２に記載の光トランスポートネットワーク。
（付記１４）  前記第１のコマンドを送信させる命令は、サブキャリア帯域の光送信機に含まれるレーザ光源へ前記第１のコマンドを送信させる命令を有する、付記１１に記載の光トランスポートネットワーク。
（付記１５）  前記光送信機は、波長選択スイッチに光信号を出力する、付記１４に記載の光トランスポートネットワーク。
（付記１６）  前記第１のコマンドを送信させる命令は、第１のサブキャリア帯域の第１のパワープリエンファシス値の指示を波長選択スイッチへ送信させる命令を有する、付記１１に記載の光トランスポートネットワーク。
（付記１７）  前記波長選択スイッチは、前記光信号送信経路の中のＲＯＡＤＭノードに含まれ、前記第１のサブキャリア帯域は、前記ＲＯＡＤＭノードにおいて前記スーパーチャネルにアッドされる、付記１６に記載の光トランスポートネットワーク。
（付記１８）  前記ＲＯＡＤＭノードは、前記スーパーチャネルから第２のサブキャリア帯域をドロップする、付記１７に記載の光トランスポートネットワーク。
（付記１９）  前記パワーレベルを減衰させる命令を実行した後に、前記スーパーチャネルについて指定される平均サブキャリアパワーレベルを得るために、前記サブキャリア帯域の各々のパワーレベルを増幅する第２のコマンドを少なくとも１つのインライン増幅器へ送信させる命令であって、相対的パワーレベルは、前記パワープリエンファシス値に従って前記サブキャリア帯域の間で保存される、命令、
を更に有する付記１１に記載の光トランスポートネットワーク。
（付記２０）  前記スーパーチャネルの中のサブキャリア帯域のパワーレベルを監視するパワーモニタであって、前記パワーレベルを減衰させる命令は、前記パワーモニタにより監視されるパワーレベルに基づく、パワーモニタ、
を更に有する付記１１に記載の光トランスポートネットワーク。
【符号の説明】
【００６９】
１０１  光トランスポートネットワーク
１２０  送信段
４０２−１〜ｎ  レーザ
４０４−１〜ｎ  変調器
４０６−１〜ｎ  ＶＯＡ
４０８  送信段
４１０  パワーモニタ
４１２  マルチプレクサ
４１４  ＷＳＳ
５０２  レーザ
５０４  変調器
５１０  パワーモニタ
５１２  ドロップタップ
５１４  ＷＳＳ
７００  制御システム
７０２  経路計算エンジン
７０４  データベース
７０６  シグナリングモジュール
７０８  プロセッサ
７１０  ルーティングモジュール
７１２  発見モジュール
７１４  ネットワークインタフェース
７２０  記憶媒体
７３０  ネットワーク
【図１】
2016220204.tif 000003
【図２】
2016220204.tif 000004
【図３】
2016220204.tif 000005
【図４Ａ】
2016220204.tif 000006
【図４Ｂ】
2016220204.tif 000007
【図４Ｃ】
2016220204.tif 000008
【図５Ａ】
2016220204.tif 000009
【図５Ｂ】
2016220204.tif 000010
【図５Ｃ】
2016220204.tif 000011
【図６】
2016220204.tif 000012
【図７】
2016220204.tif 000013